(57)【要約】【課題】移動体に搭載されたデジタル放送受信装置は、移動体の移動に伴って、受信するゾーンの切替えが必要である。このため、現在属するゾーンの特定が必要である。この特定のため、ＧＰＳ装置やナビゲーション装置などの現在位置特定手段を用いるものが存在したが、装置の大型化や高コスト化につながるという課題が生じていた。【解決手段】上記課題解決のため、第一に、移動体の移動するゾーンを進行順位と関連づけて保持しておき、現在属するゾーンの受信品質低下に応じて、受信ゾーンを次の順位のゾーンに切替える制御が可能であり、第二に、切替え後一定時間に受信品質が低下した場合に、前順位のゾーンに切替える制御が可能であり、第三に、同一系列のチャンネルＩＤ情報を保持し、ゾーン切替えの際に、次順位ゾーンの同一系列のチャンネルＩＤを受信し続ける制御が可能であるデジタル放送受信装置を提供する。【選択図】図３
2008306688.tif 000002
【特許請求の範囲】
【請求項１】
所定の移動経路を識別する移動経路ＩＤを複数保持する移動経路ＩＤ保持部と、
所定の移動経路上に配置される受信ゾーンを識別するゾーンＩＤをその経路の進行順に取得可能とした進行順ゾーンＩＤ情報を保持する進行順ゾーンＩＤ情報保持部と、
利用する移動経路ＩＤを取得する移動経路ＩＤ取得部と、
取得した移動経路ＩＤ上の移動につれて進行順ゾーンＩＤ情報保持部からゾーンＩＤを取得してそのゾーンＩＤに基づいてデジタル放送を受信するための受信部と、
デジタル放送の受信品質が所定の品質を満たしているか判断する受信品質判断部と、
受信品質が所定の品質を満たさないとの判断結果である場合には現在受信部が利用しているゾーンＩＤと、現在利用中の移動経路ＩＤと、に基づいて前記進行順ゾーンＩＤ情報保持部に保持された進行順ゾーンＩＤ情報から次順位ゾーンＩＤを取得して、受信部に利用させるように制御する制御部と、
を有するデジタル放送受信装置。
【請求項２】
制御部は、
前回次順位ゾーンＩＤを受信部に利用させる制御を実行してから所定時間経過前に受信品質判断部での判断結果が所定の品質を満たしていないとの判断結果となった場合にはさらに次順位ゾーンＩＤを受信部に利用させる制御に代えて一つ前のゾーンＩＤである前順位ゾーンＩＤを受信部に利用させる制御を実行するゾーン境界制御手段を有する請求項１に記載のデジタル放送受信装置。
【請求項３】
少なくとも隣接するゾーンＩＤ間で同一系列局のチャンネルＩＤを関連付けた情報である同一系列チャンネルＩＤ情報を保持する同一系列チャンネルＩＤ情報保持部を有し、
制御部は、
受信部が利用するゾーンＩＤを変更させようとする場合には、同一系列チャンネルＩＤ情報保持部に保持された同一系列チャンネルＩＤ情報に基づいて、次順位ゾーンＩＤ内の同一系列チャンネルＩＤで示される放送の受信品質を受信品質判断部に判断させる次順位ゾーン内品質判断制御手段と、
次順位ゾーン内品質判断制御手段によって最も受信品質が高いと判断されたチャンネルＩＤで示される放送を受信部に受信させるように受信部を制御する同系列最良選択手段と、を有する請求項１又は２に記載のデジタル放送受信装置。
【請求項４】
出発地から目的地までの経路と移動手段とを示す移動経路案内情報を取得する移動経路案内情報取得部と、
移動経路案内情報から移動経路ＩＤを抽出する移動経路ＩＤ抽出部と、を有する請求項１から３のいずれか一に記載のデジタル放送受信装置。
【請求項５】
請求項４に記載のデジタル放送受信装置を有する携帯電話。
【請求項６】
所定の移動経路を識別する移動経路ＩＤを複数保持する移動経路ＩＤ保持ステップと、
所定の移動経路上に配置される受信ゾーンを識別するゾーンＩＤをその経路の進行順に取得可能とした進行順ゾーンＩＤ情報を保持する進行順ゾーンＩＤ情報保持ステップと、
利用する移動経路ＩＤを取得する移動経路ＩＤ取得ステップと、
取得した移動経路ＩＤ上の移動につれて進行順ゾーンＩＤ情報保持ステップからゾーンＩＤを取得してそのゾーンＩＤに基づいてデジタル放送を受信するための受信ステップと、
デジタル放送の受信品質が所定の品質を満たしているか判断する受信品質判断ステップと、
受信品質が所定の品質を満たさないとの判断結果である場合には現在受信ステップが利用しているゾーンＩＤと、現在利用中の移動経路ＩＤと、に基づいて前記進行順ゾーンＩＤ情報保持ステップに保持された進行順ゾーンＩＤ情報から次順位ゾーンＩＤを取得して、受信ステップに利用させるように制御する制御ステップと、
を有するデジタル放送受信方法。
【請求項７】
制御ステップは、
前回次順位ゾーンＩＤを受信ステップに利用させる制御を実行してから所定時間経過前に受信品質判断ステップでの判断結果が所定の品質を満たしていないとの判断結果となった場合にはさらに次順位ゾーンＩＤを受信ステップに利用させる制御に代えて一つ前のゾーンＩＤである前順位ゾーンＩＤを受信ステップに利用させる制御を実行するゾーン境界制御サブステップを有する請求項４に記載のデジタル放送受信方法。
【請求項８】
少なくとも隣接するゾーンＩＤ間で同一系列局のチャンネルＩＤを関連付けた情報である同一系列チャンネルＩＤ情報を保持する同一系列チャンネルＩＤ情報保持ステップを有し、
制御ステップは、
受信ステップが利用するゾーンＩＤを変更させようとする場合には、同一系列チャンネルＩＤ情報保持ステップに保持された同一系列チャンネルＩＤ情報に基づいて、次順位ゾーンＩＤ内の同一系列チャンネルＩＤで示される放送の受信品質を受信品質判断ステップに判断させる次順位ゾーン内品質判断制御サブステップと、
次順位ゾーン内品質判断制御サブステップによって最も受信品質が高いと判断されたチャンネルＩＤで示される放送を受信ステップに受信させるように受信ステップを制御する同系列最良選択サブステップと、を有する請求項４又は５に記載のデジタル放送受信方法。
【発明の詳細な説明】
【技術分野】
【０００１】
本発明は、移動体の中で用いられるデジタル放送受信装置技術に関する。
【背景技術】
【０００２】
地上波デジタル放送用機器が小型化され、携帯電話やノートパソコンなどに搭載されることに伴い、車や、鉄道などの移動体の中で移動しながら放送を受信する使用形態が普及している。地上波デジタル放送は、地上波アナログ放送と同様に、地域ごとに放送局が設置されており、それぞれ異なる周波数が割り当てられている。このため移動体で移動しながら使用をしていると、現在受信している放送局の放送地域（ゾーン）から出てしまうことがある。ここでゾーンとは、地上デジタル放送における視聴地域区分である。ゾーンを特定することで、チャンネルとこれに関連付けられた周波数の集合が決定される。このような際に同じ番組の視聴を続けたい場合には、同じ番組を放映している別のゾーンにおける放送局の周波数を探して、選局し直す必要が生じる。
【０００３】
このような手間を省くため、移動体デジタル放送受信装置などでは、地域別にチャンネル設定がプリセットされている。移動により受信装置が属する地域が変わると、移動先における地域の郵便番号などの、地域を特定する識別子を入力することで、適切なチャンネル設定に切替えることが可能である。
【０００４】
しかしながら、移動中において現在属しているゾーンを特定することは難しく、このため良好な受信レベルを確保出来る、適切なチャンネル設定を得るのは難しい。
【０００５】
そこで特許文献１には、以下のような技術が開示されている。該技術では、地上デジタル放送のチャンネル設定のためのゾーンを検出する手段において、ＧＰＳ（Global Positioning System）装置あるいはＦＭ多重放送の受信信号を用い、これを一定周期で監視することで、前記受信信号の信号レベルの変化から属するゾーンの変更を検出すると共に、受信装置が属するゾーンを取得する、といった技術である。上記処理により、移動体の属する地域が特定可能となり、適切なチャンネル設定に切替えることが可能となる。
【０００６】
【特許文献１】特開２００５−２６７６９号公報
【０００７】
また、特許文献２及び特許文献３は、ゾーン決定に際し、ＧＰＳ装置等からの情報に加え、ナビゲーション装置において地図上に設定された経路データを利用する。地図上の通過経路上におけるゾーンをあらかじめ決定しておき、同時にそれに対応するチャンネル設定を準備する。そして、移動中においてはＧＰＳ装置によりゾーンの変更を検知し、チャンネル設定を切替えるといった技術である。
【０００８】
【特許文献２】特開２００１−１６９１９５号公報
【特許文献３】特開２００６−１２９３６８号公報
【発明の開示】
【発明が解決しようとする課題】
【０００９】
しかし、上記従来の技術には以下のような問題がある。つまり、ＧＰＳ装置とナビゲーション装置のような現在位置特定手段を用いて移動体の属する地域の検出を行えば、正確に、かつ高速にゾーンの検出を行うことが可能である。しかし、ＧＰＳ装置などを用いると、第一に、機器全体のコストアップにつながる。第二に、ＧＰＳアンテナなど専用の機器を備える必要が生じ、同時にこれを制御するための手段を備える必要も生じるため、結果として機器の大型化、重量の増大につながる。さらに第三に、移動体の中や、身体に装着した状態などで受信装置を使用する場合には、ＧＰＳ装置は使用不可能な場合がある。
【００１０】
すると上記技術では、ＧＰＳ機器のような現在位置特定手段を使用することなく、受信装置が属するゾーンの取得が可能であり、当該ゾーンにかかるチャンネル設定に切替えが可能であるデジタル放送受信装置の実現という課題が生じる。
【００１１】
以上の課題を解決するために、本発明は以下のようなデジタル放送受信装置を提供する。第一に、利用者が移動する経路に関するデータに基づいて、移動の進行順にゾーンＩＤ情報を並べたデータを取得し、現在のゾーンＩＤにかかるチャンネル設定において受信品質が所定の品質を満たしていない場合には、前記移動の進行順に並べたゾーンＩＤのうち、次のゾーンＩＤを取得し、当該ゾーンＩＤに基づいてチャンネル設定を切替える処理が可能なデジタル放送受信装置を提供する。
【００１２】
具体的には、所定の移動経路を識別する移動経路ＩＤを複数保持する移動経路ＩＤ保持部と、所定の移動経路上に配置される受信ゾーンを識別するゾーンＩＤをその経路の進行順に取得可能とした進行順ゾーンＩＤ情報を保持する進行順ゾーンＩＤ情報保持部と、利用する移動経路ＩＤを取得する移動経路ＩＤ取得部と、取得した移動経路ＩＤ上の移動につれて進行順ゾーンＩＤ情報保持部からゾーンＩＤを取得してそのゾーンＩＤに基づいてデジタル放送を受信するための受信部と、デジタル放送の受信品質が所定の品質を満たしているか判断する受信品質判断部と、受信品質が所定の品質を満たさないとの判断結果である場合には現在受信部が利用しているゾーンＩＤと、現在利用中の移動経路ＩＤと、に基づいて前記進行順ゾーンＩＤ情報保持部に保持された進行順ゾーンＩＤ情報から次順位ゾーンＩＤを取得して、受信部に利用させるように制御する制御部と、を有することを特徴とするデジタル放送受信装置である。
【００１３】
第二は、前記第一のデジタル放送受信装置を基本として、次順位のゾーンＩＤに移行した後の所定時間に受信品質が所定の品質を満たさなかった場合には、履歴の一つ前のゾーンＩＤにかかるチャンネル設定を適用する処理が可能なデジタル放送受信装置を提供する。
【００１４】
具体的には、制御部が、前回次順位ゾーンＩＤを受信部に利用させる制御を実行してから所定時間経過前に受信品質判断部での判断結果が所定の品質を満たしていないとの判断結果となった場合にはさらに次順位ゾーンＩＤを受信部に利用させる制御に代えて一つ前のゾーンＩＤである前順位ゾーンＩＤを受信部に利用させる制御を実行するゾーン境界制御手段を有することを特徴とするデジタル放送受信装置である。
【００１５】
第三は、前記第一または第二のデジタル放送受信装置を基本として、異なるゾーン間の同一系列局のチャンネルＩＤを関連付けたデータに基づいて、次順位ゾーンＩＤの同系列のチャンネルＩＤにかかる受信品質を判断し、最も受信品質が高いと判断されたチャンネルＩＤを受信させるような制御が可能なデジタル放送受信装置である。
【００１６】
具体的には、少なくとも隣接するゾーンＩＤ間で同一系列局のチャンネルＩＤを関連付けた情報である同一系列チャンネルＩＤ情報を保持する同一系列チャンネルＩＤ情報保持部を有し、制御部は、受信部が利用するゾーンＩＤを変更させようとする場合には、同一系列チャンネルＩＤ情報保持部に保持された同一系列チャンネルＩＤ情報に基づいて、次順位ゾーンＩＤ内の同一系列チャンネルＩＤで示される放送の受信品質を受信品質判断部に判断させる次順位ゾーン内品質判断制御手段と、次順位ゾーン内品質判断制御手段によって最も受信品質が高いと判断されたチャンネルＩＤで示される放送を受信部に受信させるように受信部を制御する同系列最良選択手段と、を有することを特徴とするデジタル放送受信装置である。
【００１７】
第四は、前記第一から第三のデジタル放送受信装置を基本として、メール等で受信した経路案内情報から、移動経路ＩＤ、ゾーンＩＤとして使用することが可能なデジタル放送受信装置である。具体的には、出発地から目的地までの経路と移動手段とを示す移動経路案内情報を取得する移動経路案内情報取得部と、移動経路案内情報から移動経路ＩＤを抽出する移動経路ＩＤ抽出部と、を有することを特徴とするデジタル放送受信装置である。
【発明の効果】
【００１８】
以上のような構成をとる第一の本発明によって、デジタル放送受信装置は、移動経路上の進行順に存在する次の順位に存在するゾーンＩＤを、受信品質に応じて取得し、現在利用しているゾーンＩＤと切替えることで、チャンネル設定の切替えを行うことができる。このため、移動する際の出発点におけるゾーンＩＤを最初に与えれば、移動経路途中の現在位置情報をＧＰＳなどで取得することなく、ゾーンＩＤの切替えを実行することが可能である。このため、ＧＰＳアンテナなどの装置を新たに設置する必要が無く、チャンネル設定の自動切替えを行うことが可能となる。これにより、移動体の中や、身体に装着した状態などでＧＰＳ装置は使用不可能な状況でも、ゾーンＩＤの切替えを実行可能である。
【００１９】
なお、第一の本発明は、ＧＰＳ装置やナビゲーション装置などの現在位置特定手段を本来持たない、携帯電話やノートパソコン等の機器において特に有効である。
【００２０】
また、第二の本発明によって、一度次のゾーンにチャンネル設定が切り替わったとしても、一定時間一定の品質を保つことができなかった場合には、前のゾーンＩＤにかかるチャンネル設定に切替える処理を実行することができる。これにより、ゾーンの境界が入り組んでいるような電波状況の場合に、頻繁なゾーンの切替えが必要であるが、これを自動で行うことで、利便性を高めることが出来る。
【００２１】
また、第三の本発明によって、同系列のチャンネルＩＤに対して、受信の切替えを行うことで、移動によりゾーンが変わっても、全国ネットされている番組であれば、前ゾーンと同一系列のチャンネルＩＤを受信し続けることで、同一番組を見続けることが可能である。
【００２２】
また、第四の本発明によって、ＰＣ（Personal Computer）等を使用した経路・時刻検索の結果を、メール等の手段でデジタル放送受信装置に転送すれば、そのまま移動経路ＩＤとして使用可能となり、簡単に経路選択が可能となり、利便性が高まる。
【発明を実施するための最良の形態】
【００２３】
以下に、図を用いて本発明の実施の形態を説明する。なお、本発明はこれら実施の形態に何ら限定されるものではなく、その要旨を逸脱しない範囲において、種々なる態様で実施しうる。なお、実施例１は、主に請求項１、及び請求項６などについて説明する。また、実施例２は、主に請求項２、及び請求項７などについて説明する。また、実施例３は、主に請求項３、及び請求項８などについて説明する。実施例４は主に請求項４及び５などについて説明する。  
【００２４】
≪実施例１≫
<概要>
図１は、移動体に搭載されたデジタル放送受信装置が移動する際の概念図であり、本実施例の移動体用デジタル放送受信装置による処理の一例を説明するための図である。この図にあるように、地上デジタル放送の受信地域は、複数のゾーンに分けられており、それぞれのゾーンにおいて、チャンネル設定がされている。なお、この図中のゾーンは、概念的な説明のために設けたものであり、実在のゾーン区分とは異なる場合がある。例えば東海道新幹線（０１０１）を利用して東京から大阪に移動しながら地上波デジタル放送を受信した場合、初めに首都圏ゾーンの放送を受信し、続いて東海ゾーン、中京ゾーンの放送を受信し、最後に近畿ゾーンの放送を受信することになる。このため、図のようなゾーン区分が設定されている場合には、3回のチャンネル設定の変更が必要となる。また、中央本線（０１０２）を経由して東京より名古屋に至り、さらに大阪まで移動した場合には、5回のチャンネル設定の変更が必要となる。
【００２５】
図２（A）は、本実施例の移動体デジタル放送受信装置が用いる、移動経路情報の一例である。前記受信装置は、出発時に出発地と移動経路とを選択することにより、当該移動経路情報を用いて、次順位のゾーンを決定する。例えば静岡から新幹線に乗車して大阪に向かう場合には、出発地を静岡とし、移動経路を東海道新幹線とする。そうすると、通過する地点は出発地と目的地を含めて、静岡と名古屋と大阪となる。この通過地点の情報に基づいて、ゾーンの決定ができる。図２（B）は、地点とゾーンの対応付けを行っているテーブルである。当該テーブルは従来の移動体デジタル放送受信装置が備えているものである。図２（A）と図２（B）より図２（C）のようなテーブルが生成できる。図２（C）によると、初期ゾーンは東海ゾーンであり、中京ゾーンを経由して、近畿ゾーンに至ると決定される。ゾーン切替えの決定は、現在受信しているゾーンにおける受信品質により行う。例えば、東海地区において受信中に、受信レベルが所定の品質以下となった場合には、中京ゾーンのチャンネル設定に切替える動作を行う。
【００２６】
上記のように、移動経路を特定することにより、現在属するゾーンの次順位のゾーンを決定することが可能となる。これにより、現在受信中における放送の品質レベルの低下により、自動的に次順位のゾーンにチャンネル設定を切替えることが可能となる。
【００２７】
<機能的構成>
図３は、本実施例のデジタル放送受信装置における機能ブロックの一例を表す図である。この図にあるように、本実施例の「デジタル放送受信装置」（０３００）は、「移動経路ＩＤ保持部」（０３０１）と、「移動経路ＩＤ取得部」（０３０２）と、「進行順ゾーンＩＤ情報保持部」（０３０３）と、「受信部」（０３０４）と、「受信品質判断部」（０３０５）と、「制御部」（０３０６）と、を有する。
【００２８】
なお、以下に記載するデジタル放送受信装置の機能ブロックは、ハードウェア、ソフトウェア、又はハードウェア及びソフトウェアの両方として実現され得る。具体的には、コンピュータを利用するものであれば、CPUや主メモリ、バス、あるいは二次記録媒体（ハードディスクや不揮発性メモリ、CD−ROMやDVD−ROMなどの記憶メディアとそれらメディアの読取ドライブなど）、印刷機器や表示装置、その他の外部周辺装置などのハードウェア構成部やその外部周辺機器用のI/Oポート、それらハードウェアを制御するためのドライバプログラムやその他アプリケーションプログラム、情報入力に利用されるユーザーインターフェースなどが挙げられる。
【００２９】
またこれらハードウェアやソフトウェアは、主メモリ上に展開したプログラムをCPUで演算処理したり、メモリやハードディスク上に保持されているデータや、インターフェースを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記録媒体に固定した記録媒体も、当然にこの発明の技術的な範囲に含まれる（本明細書の全体を通じて同様である）。
【００３０】
「移動経路ＩＤ保持部」（０３０１）は、所定の移動経路を識別する移動経路ＩＤを複数保持する機能を有する。「移動経路ＩＤ」は移動経路を特定するものである。「移動経路」とは、出発地から目的地へ達するための手段と、これに依存する経路上の通過地点を通過順に保持する情報とを指す。例えば、東京から大阪まで東海道新幹線で移動するのであれば、東海道新幹線という手段と、「東京→静岡→名古屋→京都→大阪」とが「移動経路」に該当する。なお、出発地と目的地が同一でも、移動手段が異なれば、移動経路が異なる場合があり、これに伴って移動経路ＩＤは異なる場合がある。例えば、東京から名古屋へ移動する場合、東海道本線（０１０１）を利用する場合と、中央本線（０１０２）を利用する場合とでは、通過地点が異なるため、移動経路ＩＤは別のものとなる。また、同じ東海道新幹線で大阪から東京に移動する場合と、東京から大阪に移動する場合とでは経路上の通過地点の通過順が異なるため経路ＩＤは別のものとなる。
【００３１】
「移動経路ＩＤ取得部」（０３０２）は、利用する移動経路ＩＤを取得する機能を有する。具体的には、利用者からの出発地と目的地と移動手段等との選択により、上記記載の複数存在する移動経路ＩＤのうち、一の経路を特定し、そのＩＤを取得する。取得された移動経路ＩＤは、「進行順ゾーンＩＤ情報保持部」（０３０３）に対して出力される。
【００３２】
「進行順ゾーンＩＤ情報保持部」（０３０３）は、所定の移動経路上に配置される受信ゾーンを識別するゾーンＩＤをその経路の進行順に取得可能とした進行順ゾーンＩＤ情報を保持する機能を有する。具体的には、「移動経路ＩＤ取得部」（０３０２）より、移動経路ＩＤを取得し、当該移動経路ＩＤにかかる移動経路上に存在する通過地点と、その地点における受信ゾーンＩＤを関連付けることにより、当該経路における通過ゾーンのリストを取得する。取得されたリストは図２（C）の様に、移動経路ＩＤの１と関連づけられ、かつ、進行順にゾーンＩＤが並んだテーブルとなる。当該進行順に並んだゾーンのＩＤを進行順に並べた進行順ゾーンＩＤ情報は、受信部や制御部が受信可能な状態で保持される。
【００３３】
「受信部」（０３０４）は、利用する移動経路ＩＤを取得する移動経路ＩＤ取得部と、取得した移動経路ＩＤ上の移動につれて進行順ゾーンＩＤ情報保持部からゾーンＩＤを取得してそのゾーンＩＤに基づいてデジタル放送を受信する機能を有する。具体的には、後に説明する「制御部」（０３０６）の制御に基づいて、進行順ゾーンＩＤ情報保持部から、現在受信すべきゾーンＩＤを取得する。ゾーンＩＤを取得すると当該ＩＤで示される所定のゾーン情報を参照し、チャンネル設定などを行う。
【００３４】
「受信品質判断部」（０３０５）は、デジタル放送の受信品質が所定の品質を満たしているか判断する機能を有する。具体的には、受信部において測定された受信品質情報を常時または一定間隔で取得し、その受信品質が所定のレベルに達しているか否かを判断する。例えば、受信されている電波の受信電界強度や、エラーレートや、Ｓ／Ｎなどの値で定められる受信品質情報の値を受信部から取得し、その値が一定値以上であるか否かで判断を行う。判断結果は、制御部に対して出力される。
【００３５】
「制御部」（０３０６）は、受信品質が所定の品質を満たさないとの判断結果である場合には現在受信部が利用しているゾーンＩＤと、現在利用中の移動経路ＩＤと、に基づいて前記進行順ゾーンＩＤ情報保持部に保持された進行順ゾーンＩＤ情報から次順位ゾーンＩＤを取得して、受信部に利用させるように制御する機能を有する。具体的には、まず、「受信品質判断部」（０３０５）から受信品質が所定の品質を満たさないとの受信品質判断結果を取得すると、受信部（０３０４）より利用中のゾーンＩＤを取得する。次に、現在利用中の移動経路ＩＤを移動経路ＩＤ取得部（０３０２）より取得し、これと、現在利用中のゾーンＩＤとに基づいて、進行順ゾーンＩＤ情報保持部（０３０３）より、次順位ゾーンＩＤを取得する。取得した次順位ゾーンＩＤは、受信すべきゾーンＩＤとして、受信部に出力される。
【００３６】
これにより、制御部（０３０６）によって次に受信すべきゾーンＩＤが決定され、当該決定されたゾーンＩＤによりゾーン情報が取得可能となる。このようにして取得されたゾーン情報により、ゾーンの切替えが可能となり、これに伴ってチャンネル設定なども変更可能となる。
【００３７】
<処理の流れ>
図４は、本実施例のデジタル放送受信装置における処理の流れの一例を表すフローチャートである。なお、以下に示すステップは、媒体に記録され計算機を制御するためのプログラムを構成する処理ステップであっても構わない。この図にあるように、まず初期ゾーンＩＤを取得し（ステップＳ０４０１）、移動経路ＩＤを取得する（ステップＳ０４０２）。次に、取得された移動経路ＩＤに基づいて、進行順ゾーンＩＤ情報を取得し保持する（ステップＳ０４０３）。この後、初期ゾーンＩＤによりゾーン情報が参照され、出発地のチャンネル設定がされ、取得したゾーンＩＤに基づいて放送の受信を開始する（ステップＳ０４０４）。このとき同時に受信品質情報も取得する（ステップＳ０４０４）。次の処理において、取得された受信品質が所定品質以下か否か判断される（ステップＳ０４０５）。判断結果が所定品質を上回っていた場合には、引き続き現在のゾーンの放送を受信する（ステップＳ０４０４）。所定品質以下であった場合には、進行順ゾーンＩＤにおける次順位のゾーンＩＤを取得する（ステップＳ０４０６）。その後視聴を終了するか否かの判断を行い（ステップＳ０４０７）、視聴を終了しない場合には、取得したゾーンＩＤに基づいて放送を受信する処理（ステップＳ０４０４）にもどる。
【００３８】
上記のように、本実施例のデジタル放送受信装置は、移動体によって移動する際に、その移動経路を前もって取得する処理により、通過するゾーンの特定が可能となる。当該特定されたゾーンは、移動経路に基づいて、経路の進行順に順位付けして取得され保持することが可能である。そして本実施例のデジタル放送受信装置の特徴は、現在のゾーンの受信品質が悪化すると、移動経路における進行順の次のゾーンへ受信設定を切替えるといった処理が可能である点である。
【００３９】
<ハードウェア的構成>
図５は、上記機能的な各構成要件をハードウェアとして実現した際の、デジタル放送受信装置における構成の一例を表す概略図である。この図を利用して受信処理におけるそれぞれのハードウェア構成部の働きについて説明する。この図にあるように、デジタル放送受信装置は、各種演算処理を行う「ＣＰＵ（中央演算装置）」（０５０１）と、「ＲＡＭ」（０５０２）と、「ＲＯＭ」（０５０３）と、「操作入力Ｉ／Ｆ」（０５０４）と、「チューナ」（０５０５）と、「デジタル復調部」（０５０６）と、「ＴＳ分離部」（０５０７）と、「映像復号部」（０５０８）と、「音声復号部」（０５０９）と、「映像表示部」（０５１０）と、「音声出力部」（０５１１）を有している。そしてそれらが「システムバス」（０５００）などのデータ通信経路によって相互に接続され、情報の送受信や処理を行う。「チューナ」（０５０５）はアンテナを有し、受信された信号は「デジタル復調部」（０５０６）に送られ復調され、「ＴＳ分離部」（０５０７）にて、映像データと音声データの分離が行われる。分離されたデータは、「映像復号部」（０５０８）と「音声復号部」（０５０９）でデコードされ、スピーカなどの音声出力部（０５１１）や、ディスプレイなどの映像表示部（０５１０）により、音声または映像として出力される。
【００４０】
ここで、「ＲＡＭ」（０５０２）には、１．複数の移動経路ＩＤと、２．選択された移動経路ＩＤと、３．進行順ゾーンＩＤ情報と、４．受信品質閾値、５．現在のゾーンＩＤと、６．次順位のゾーンＩＤとを格納する領域が確保されている。これらの各ＩＤは、ＩＤを特定すると、関連付けられた情報が参照可能となっている。まず、複数の移動経路情報は、「ＲＡＭ」（０５０２）上の、１．複数の移動経路ＩＤより「操作Ｉ／Ｆ」（０５０４）を用いて選択され、移動経路ＩＤが一に特定される。５．現在のゾーンＩＤにかかる領域には、出発点のゾーンＩＤの値が格納される。これにより、出発点のゾーン情報が参照可能となり、当該ゾーン情報に含まれる出発点のゾーンにおけるチャンネル設定情報が取得される。取得されたチャンネル設定情報は「チューナ」（０５０５）に対して送られ、設定がされる。一方、移動経路ＩＤが特定されると、当該移動経路情報に含まれる通過点の情報と、これに対応するゾーン情報を関連付けする処理を「ＣＰＵ」（０５０１）にて行う。当該処理により、ゾーン情報が移動経路順に並べられた情報が取得可能であり、これらのゾーン情報を特定するＩＤを「ＲＡＭ」（０５０２）上に３．進行順ゾーンＩＤ情報として格納する。「ＣＰＵ」（０５０１）において、進行順ゾーンＩＤを走査して、現在のゾーンＩＤに一致するゾーンＩＤの次の順位にあるゾーンＩＤを６．次順位のゾーンＩＤとして格納する。「チューナ」（０５０５）により、出発点のゾーンにおけるチャンネル設定で、放送の受信が開始されると、「チューナ」（０５０５）により、受信レベルなどの受信品質情報が取得され、これと、「ＲＡＭ」（０５０２）上の所定の領域に保持されている４．受信品質閾値１とで比較を行う。比較の結果、受信品質情報が、４．受信品質閾値１以上の場合には、「チューナ」（０５０５）はそのまま受信を続ける。これに対して、受信品質情報が４．受信品質閾値１を下回った場合には、「ＣＰＵ」（０５０１）は「ＲＡＭ」（０５０２）に保持されている６．次順位ゾーンＩＤを呼び出し、当該ＩＤに関連付けられたゾーン情報の一部である次順位ゾーンのチャンネル設定とこれに関連づけられた周波数を「チューナ」（０５０５）に対して適用する。同時に、「ＲＡＭ」（０５０２）に保持されている５．現在のゾーンＩＤを更新する。これに伴って、進行順ゾーンＩＤを走査し、更新された５．現在のゾーンＩＤと一致するゾーンＩＤの次における順のＩＤを６．次順位のゾーンＩＤとして更新する。
【００４１】
<効果の簡単な説明>
以上のように本実施例のデジタル放送受信装置によって、移動経路を選択することによって通過するゾーンとその順序を事前に決定可能である。これにより、現在属するゾーンの受信状態が悪化した場合には、次の順序のゾーンにかかるチャンネル設定などを適用することで、ＧＰＳなどの移動体の位置を特定する手段を用いることなく、ゾーンの切替え処理を実行することができる。このため、移動によりゾーンが変わっても、次順位のゾーンにおける放送を切替えにより受信可能である。
【００４２】
≪実施例２≫
<概要>
図６は、本実施例のデジタル放送受信装置におけるゾーン境界における制御処理について説明するための概念図である。この図にあるように、ゾーン境界（０６０１）が地形の関係やその他の条件の関係により、入り組んでいる場合がある。このような場合には、この図に示すように、移動体（０６０２）が一度次順位のゾーンに入ってから、また元のゾーンに戻ってしまう場合が生じる。実施例１におけるデジタル放送受信装置は、受信品質によって、次順位のゾーンＩＤにかかるゾーンに切替えを行う処理が可能であるが、上記のような場合には、前のゾーンＩＤにかかるゾーンに設定を戻す必要が生じる。
【００４３】
そして、本実施例のデジタル放送受信装置は、上記のようなゾーン境界が入り組んでいる場合に、切替えを行う前の前回ゾーンＩＤを保持しておき、受信品質に応じて前のゾーンＩＤにかかるゾーンへ切替えを行うことが可能である。具体的には制御部が、前回次順位ゾーンＩＤを受信部に利用させる制御を実行してから所定時間経過前に受信品質判断部での判断結果が所定の品質を満たしていないとの判断結果となった場合にはさらに次順位ゾーンＩＤを受信部に利用させる制御に代えて一つ前のゾーンＩＤである前順位ゾーンＩＤを受信部に利用させる制御を実行するゾーン境界制御手段を有するデジタル放送受信装置である。
【００４４】
上記のような制御により、ゾーンの境界が入り組んでいる場合でも、受信品質に応じて、前の順位のゾーンに切替えることで、利用者は視聴を続けることが可能となる。さらに、受信品質が低下しても、所定時間の経過を待ってから、ゾーンの切替えを行うことで、ゾーンの切替えが頻繁となって放送が見づらくなるのを防止することができる。
【００４５】
<機能的構成>
図７は、本実施例のデジタル放送受信装置における機能ブロックの一例を表す図である。この図にあるように、本実施例の「デジタル放送受信装置」（０７００）は、「移動経路ＩＤ保持部」（０７０１）と、「移動経路ＩＤ取得部」（０７０２）と、「進行順ゾーンＩＤ情報保持部」（０７０３）と、「受信部」（０７０４）と、「受信品質判断部」（０７０５）と、「制御部」（０７０６）と、を有する。なお、これら構成要件については上記実施例にて既に記載済みであるのでその説明は省略する。そして、本実施例のデジタル放送受信装置の特徴点は、制御部（０７０６）がさらに「ゾーン境界制御手段」（０７０７）を有する点である。
【００４６】
「ゾーン境界制御手段」（０７０７）は、前回次順位ゾーンＩＤを受信部に利用させる制御を実行してから所定時間経過前に受信品質判断部での判断結果が所定の品質を満たしていないとの判断結果となった場合にはさらに次順位ゾーンＩＤを受信部に利用させる制御に代えて一つ前のゾーンＩＤである前順位ゾーンＩＤを受信部に利用させる制御を実行する機能を有する。具体的には、前回のゾーン切替えが行われてから所定時間の間、前回のゾーンＩＤを保持しておき、当該所定時間の間において、受信品質判断部出力される受信品質判断結果を取得して、所定の品質を下回るか否かを判断する。所定の品質を下回る場合には保持している前順位ゾーンＩＤを受信部に対して出力し、前順位のゾーンに切替えを行う。
【００４７】
<処理の流れ>
図８は、本実施例のデジタル放送受信装置における処理の流れの一例を表すフローチャートである。なお、以下に示すステップは、媒体に記録され計算機を制御するためのプログラムを構成する処理ステップであっても構わない。この図にあるように、まず初期ゾーンＩＤを取得し（ステップＳ０８０１）、移動経路ＩＤを取得する（ステップＳ０８０２）。次に、取得された移動経路ＩＤに基づいて、進行順ゾーンＩＤ情報を取得する（ステップＳ０８０３）。この後、初期ゾーンＩＤによりゾーン情報が参照され、出発地のチャンネル設定がされ、放送の受信を開始する。このとき同時に受信品質情報も取得する（ステップＳ０８０４）。次の処理において、取得された受信品質が所定品質以下か否か判断される（ステップＳ０８０５）。判断結果が所定品質を上回っていた場合には、引き続き現在のゾーンの放送を受信する（ステップＳ０８０４）。所定品質以下であった場合には、進行順ゾーンＩＤにおける次順位のゾーンＩＤを取得する（ステップＳ０８０６）。次順位のゾーンＩＤが取得されると、取得されたゾーンＩＤに基づいて、放送を受信すると同時に受信品質情報を取得する（ステップＳ０８０８）。次に、所定の時間が経過したか否かの判断がされ（ステップＳ０８０９）、経過していれば、視聴を終了するか否かの判断を行い（ステップＳ０８０７）、視聴を終了しない場合には、再び放送を受信する処理（ステップＳ０８０４）にもどる。所定時間が経過していないと判断されれば、取得した受信品質が所定品質以下であるか否かの判断を行う（ステップＳ０８１０）。ここで、所定品質以下であったとの判断であれば、前順位ゾーンＩＤにかかるゾーンの取得を行う（ステップＳ０８１１）。所定品質以下でないとの判断であれば、再び放送を受信すると同時に、受信品質情報を取得するステップ（ステップＳ０８０８）にもどる。
【００４８】
上記の様な処理により、本実施例のデジタルデジタル放送受信装置は、受信ゾーンを切替えた後の所定の時間において、受信品質情報が所定品質以下となった場合に、前順位ゾーンＩＤにかかるゾーンに切替えることが可能である。このため、ゾーンが入り組んでいる場合に、一度次順位のゾーンに入ってすぐに前順位のゾーンに再び入ってしまうような場合に、上記の様な処理により、前順位のゾーンＩＤを取得することによって、柔軟に対応することが可能となる。
【００４９】
<ハードウェア構成>
図９は、上記機能的な各構成要件をハードウェアとして実現した際の、デジタル放送受信装置における構成の一例を表す概略図である。この図を利用して受信処理におけるそれぞれのハードウェア構成部の働きについて説明する。この図にあるように、デジタル放送受信装置は、各種演算処理を行う「ＣＰＵ（中央演算装置）」（０９０１）と、「ＲＡＭ」（０９０２）と、「ＲＯＭ」（０９０３）と、「操作入力Ｉ／Ｆ」（０９０４）と、「チューナ」（０９０５）と、「デジタル復調部」（０９０６）と、「ＴＳ分離部」（０９０７）と、「映像復号部」（０９０８）と、「音声復号部」（０９０９）と、「映像表示部」（０９１０）と、「音声出力部」（０９１１）を有している。そしてそれらが「システムバス」（０９００）などのデータ通信経路によって相互に接続され、情報の送受信や処理を行う。「チューナ」（０９０５）はアンテナを有し、受信された信号は「デジタル復調部」（０９０６）に送られ復調され、「ＴＳ分離部」（０９０７）にて、映像データと音声データの分離が行われる。分離されたデータは、「映像復号部」（０９０８）と「音声復号部」（０９０９）でデコードされ、スピーカなどの音声出力部（０９１１）や、ディスプレイなどの映像表示部（０９１０）により、音声または映像として出力される。
【００５０】
ここで、「ＲＡＭ」（０９０２）には、１．複数の移動経路ＩＤと、２．選択された移動経路ＩＤと、３．進行順ゾーンＩＤ情報と、４．受信品質閾値１と、５．現在のゾーンＩＤと、６．次順位のゾーンＩＤと、７．所定時間と、８．受信品質閾値２と、９．前順位のゾーンＩＤとを格納する領域が確保されている。なお、上記の各ＩＤは、ＩＤを特定すると、関連付けられた情報が参照可能となっている。まず、複数の移動経路情報は、「ＲＡＭ」（０９０２）上の、１．複数の移動経路ＩＤより「操作Ｉ／Ｆ」（０９０４）を用いて選択され、移動経路ＩＤが一に特定される。５．現在のゾーンＩＤにかかる領域には、出発点のゾーンＩＤの値が格納される。これにより、出発点のゾーン情報が参照可能となり、当該ゾーン情報に含まれる出発点のゾーンにおけるチャンネル設定情報が取得される。取得されたチャンネル設定情報は「チューナ」（０９０５）に対して送られ、設定がされる。一方、移動経路ＩＤが特定されると、当該移動経路情報に含まれる通過点の情報と、これに対応するゾーン情報を関連付けする処理を「ＣＰＵ」（０９０１）にて行う。当該処理により、ゾーン情報が移動経路順に並べられた情報が取得可能であり、これらのゾーン情報を特定するＩＤを「ＲＡＭ」（０９０２）上に３．進行順ゾーンＩＤ情報として格納する。「ＣＰＵ」（０９０１）において、進行順ゾーンＩＤを走査して、現在のゾーンＩＤに一致するゾーンＩＤの次の順位にあるゾーンＩＤを６．次順位のゾーンＩＤとして格納する。「チューナ」（０９０９）により、出発点のゾーンにおけるチャンネル設定で、放送の受信が開始されると、「チューナ」（０９０５）により、受信レベルなどの受信品質情報が取得され、これと、「ＲＡＭ」（０９０２）上の所定の領域に保持されている４．受信品質閾値１とで比較を行う。比較の結果、受信品質情報が４．受信品質閾値１の値以上の場合には、「チューナ」（０９０５）はそのまま受信を続ける。これに対して、受信品質情報が４．受信品質閾値１の値を下回った場合には、「ＣＰＵ」（０９０１）は「ＲＡＭ」（０９０２）に保持されている６．次順位ゾーンＩＤを呼び出し、当該ＩＤに関連付けられたゾーン情報の一部である次順位ゾーンのチャンネル設定とこれに関連づけられた周波数を「チューナ」（０９０５）に対して適用する。同時に、「ＲＡＭ」（０９０２）に保持されている５．現在のゾーンＩＤを更新する。これに伴って、進行順ゾーンＩＤを走査し、更新された５．現在のゾーンＩＤと一致するゾーンＩＤの次における順のＩＤを６．次順位のゾーンＩＤとして更新する。同時に、ＲＡＭ（０９０２）に５．現在のゾーンＩＤとして保持されていたゾーンＩＤの値を９．前順位のゾーンＩＤとして保持する。
【００５１】
ゾーンが切替えられると、切替えられたゾーンＩＤにおける放送を「チューナ」（０９０５）によって受信する。同時に、「チューナ」（０９０５）より受信品質情報を取得する。このとき、「ＣＰＵ」（０９０１）において計時がされており、ゾーンが切替えられてからの経過時間が取得される。この経過時間の値が、「ＲＡＭ」（０９０２）に保持されている７．所定の時間の値よりも小さい時は、前記取得した受信品質の値が８．受信品質閾値２の値以下であるかの比較を行う。比較の結果、取得した受信品質の値が、８．受信品質閾値２の値以下であった場合には、ＲＡＭ（０９０２）に保持されている、９．前順位のゾーンＩＤにかかるゾーンに切替えを行う。切替えの後、ＲＡＭ（０９０２）に保持されている、３．進行順ＩＤゾーンＩＤ情報を参照し、５．現在のゾーンＩＤと、６．次順位のゾーンＩＤの更新を行う。９．前順位のゾーンＩＤには、切替えられる前の、５．現在のゾーンＩＤの値が代入される。一方、比較の結果が、８．受信品質閾値を超えるものであった場合には、再び、「チューナ」（０９０５）により、放送を受信し受信品質情報を取得する処理に戻る。
【００５２】
<効果の簡単な説明>
このようにして、ゾーンの切替え後において、受信品質が所定の時間内に所定の品質以下になった場合に、切替えられる前の順位のゾーンＩＤにかかるゾーンに切替えることが可能となる。これにより、ゾーンの切替え後に再び直前に属していたゾーンに再度入った場合に、ゾーンを切替えることができるため、ゾーンの境界が複雑に入り組んでいるような場合でも、柔軟にゾーンの切替えを行うことができ、受信を続けることが可能である。
【００５３】
≪実施例３≫
<概要>
本実施例のデジタル放送受信装置は、上記実施例を基本として、少なくとも隣接するゾーン間で同一系列のチャンネルＩＤを関連づけて保持し、次順位ゾーン中の同系列チャンネルＩＤの受信品質を受信品質判断部に判断させて、同系列のチャンネルＩＤのうち、受信品質が最良のチャンネルを選択し受信を行うことができる。これにより、移動によりゾーンが変わっても、次順位ゾーンにおける同系列のチャンネルＩＤを受信することが可能となり、全国ネットの番組の場合には、引き続き同じ番組を視聴し続けることが可能となる。また、次順位ゾーンの中に複数の同系列のチャンネルＩＤが存在する場合には、その中で最良の受信品質のチャンネルＩＤを選局することが可能となる。
【００５４】
図１０は、同一系列チャンネルＩＤを隣接するゾーン間で関連づけて保持した状態の一例を示した概念図である。この図にあるように、隣接するゾーンとこれに対応するチャンネルＩＤが系列ごとに保持されている。本実施例のデジタル放送受信装置は、図にあるような隣接するゾーン間で関連づけて保持した同一系列チャンネルＩＤを有するテーブルを参照し、受信品質に応じて、次ゾーンにおける同系列のチャンネルＩＤに選局することが可能である。例えば、首都圏ゾーンにおいて、１ＣＨで放映されている系列Ａの番組を、移動により首都圏ゾーンを脱して東海ゾーンに移行した場合に、自動的に次順位ゾーンにかかる同系列チャンネルＩＤである３ＣＨに選局が可能である。また、同系列のチャンネルＩＤが一つのゾーンに2以上存在する場合も生じる。例えば、この図において、東海ゾーンでは系列Ｂが２ＣＨと８ＣＨの二の同一系列チャンネルＩＤを有する。この場合には、２ＣＨと８ＣＨの受信状態が良好な方のチャンネルＩＤを受信状態に応じて選択することが可能である。
【００５５】
<機能的構成>
図１１は、本実施例のデジタル放送受信装置における機能ブロックの一例を表す図である。この図にあるように、本実施例の「デジタル放送受信装置」（１１００）は、「移動経路ＩＤ保持部」（１１０１）と、「移動経路ＩＤ取得部」（１１０２）と、「進行順ゾーンＩＤ情報保持部」（１１０３）と、「受信部」（１１０４）と、「受信品質判断部」（１１０５）と、「同一系列チャンネルＩＤ情報保持部」（１１０８）と、「制御部」（１１０６）とを有し、「制御部」（１１０６）は「同系列最良選択手段」（１１０９）と、「次順位ゾーン内品質判断制御手段」（１１１０）を有する。なお記載していないが、「制御部」（１１０６）は「ゾーン境界制御手段」（１１０７）を有していてもよい。なお、これら構成要件については上記実施例にて既に記載済みであるのでその説明は省略する。そして、本実施例のデジタル放送受信装置の特徴点は、「同一系列チャンネルＩＤ情報保持部」（１１０８）を新たに有することと、「制御部」（１１０６）が、「同系列最良選択手段」（１１０９）と、「次順位ゾーン内品質判断制御手段」（１１１０）を新たに有する点である。
【００５６】
「同一系列チャネルＩＤ情報保持部」（１１０８）は、少なくとも隣接するゾーンＩＤ間で同一系列局のチャンネルＩＤを関連付けた情報である同一系列チャンネルＩＤ情報を保持する機能を有する。「同一系列チャネル」とは、東京にキー局を置いた公共放送および民間放送のネットワークにおいて、同時刻にほぼ同一の番組を放送しているキー局および地方テレビ局のチャンネル群を指す。同一系列チャネルＩＤ情報は、図１０のようなテーブルの形で保持されていてもよい。同一系列チャンネルＩＤは、次順位ゾーン内品質制御手段に出力される。
【００５７】
「次順位ゾーン内品質判断制御手段」（１１１０）は、受信部が利用するゾーンＩＤを変更させようとする場合には、同一系列チャンネルＩＤ情報保持部に保持された同一系列チャンネルＩＤ情報に基づいて、次順位ゾーンＩＤ内の同一系列チャンネルＩＤで示される放送の受信品質を受信品質判断部に判断させる機能を有する。具体的には、「同一系列チャンネルＩＤ情報保持部」（１１０８）から取得した、同一系列チャンネルＩＤを受信品質判断部に送り、当該部において、次順位ゾーンにおける同一系列チャンネルＩＤの受信品質情報を取得する。取得した品質情報に基づき、受信品質判断部によって所定の品質を満たしているか否かの判断がなされ、その結果が「同一系列チャンネルＩＤ情報保持部」（１１０８）に出力される。この判断結果に基づいて、同一系列チャンネルＩＤのうち最良の品質で受信可能であるチャンネルＩＤを「同系列最良選択手段」（１１０９）に対し出力する。
【００５８】
この際において、次順位ゾーン内に、同一系列チャンネルＩＤが複数存在する場合には、複数のチャンネルに渡って受信品質を測定することになる。この場合には、短時間に複数の同一系列チャンネルＩＤを切替えることで、一のチューナで複数のチャンネルＩＤの受信品質を測定可能である。
【００５９】
「同系列最良選択手段」（１１０９）は、次順位ゾーン内品質判断制御手段によって最も受信品質が高いと判断されたチャンネルＩＤで示される放送を受信部に受信させるように受信部を制御する機能を有する。具体的には、「次順位ゾーン内品質判断制御手段」（１１１０）より、同一系列チャンネルＩＤのうち最良の品質で受信可能であるチャンネルＩＤを受け取り、受信部に対して当該チャンネルＩＤを出力して受信をおこなう。
【００６０】
このように、本実施例のデジタル放送受信装置は、同一系列のチャンネルＩＤ情報を取得して、現在受信しているチャンネルＩＤと次順位のゾーンにおける同系列のチャンネルＩＤのうち、最良の受信状態のチャンネルＩＤに受信を切替えることにより、移動によりゾーンが切り替わっても、次順位のゾーンにおける同一系列の放送に切替えを行うことが可能なため、全国ネットの番組であれば、同じ番組を視聴し続けることが可能となる。
【００６１】
<処理の流れ>
図１２は、本実施例のデジタル放送受信装置における処理の流れの一例を表すフローチャートである。なお、以下に示すステップは、媒体に記録され計算機を制御するためのプログラムを構成する処理ステップであっても構わない。この図にあるように、まず初期ゾーンＩＤを取得（ステップＳ１２０１）し、移動経路ＩＤを取得する（ステップＳ１２０２）。次に、取得された移動経路ＩＤに基づいて、進行順ゾーンＩＤ情報を取得する（ステップＳ１２０３）。この後、初期ゾーンＩＤによりゾーン情報が参照され、出発地のチャンネル設定がされ、放送の受信を開始する。このとき同時に受信品質情報も取得する（ステップＳ１２０４）。次の処理において、取得された受信品質が所定品質以下か否か判断される（ステップＳ１２０５）。判断結果が所定品質を上回っていた場合には、引き続き現在のゾーンの放送を受信する（ステップＳ１２０４）。所定品質以下であった場合には、進行順ゾーンＩＤにおける次順位のゾーンＩＤを取得し（ステップＳ１２０６）、次順位ゾーンＩＤにかかる同一系列チャンネルＩＤ情報の取得を行う（ステップＳ１２１２）。チャンネルＩＤ情報を取得すると、当該チャンネルＩＤの受信品質情報を取得する（ステップＳ１２１３）。次に取得した受信品質情報のうち少なくとも一以上のチャンネルＩＤの受信品質が所定品質以上であるかを判断する（ステップＳ１２１４）。受信品質が所定品質に満たなかった場合には、引き続き現在のエリアの放送を受信する処理（ステップＳ１２０３）に戻る。少なくとも1以上のチャンネルＩＤの受信品質が所定品質を上回った場合には、そのうち最良のチャンネルＩＤを取得する。このとき、実施例２の図８のステップＳ０８０９〜ステップＳ０８１１に示すように、受信品質が一定時間の間に所定品質より低下した場合には、前順位ゾーンＩＤにかかるゾーンＩＤを再び取得する処理が存在してもよい。
【００６２】
<ハードウェア構成>
図１３は、上記機能的な各構成要件をハードウェアとして実現した際の、デジタル放送受信装置における構成の一例を表す概略図である。この図を利用して受信処理におけるそれぞれのハードウェア構成部の働きについて説明する。この図にあるように、デジタル放送受信装置は、各種演算処理を行う「ＣＰＵ（中央演算装置）」（１３０１）と、「ＲＡＭ」（１３０２）と、「ＲＯＭ」（１３０３）と、「操作入力Ｉ／Ｆ」（１３０４）と、「チューナ」（１３０５）と、「デジタル復調部」（１３０６）と、「ＴＳ分離部」（１３０７）と、「映像復号部」（１３０８）と、「音声復号部」（１３０９）と、「映像表示部」（１３１０）と、「音声出力部」（１３１１）を有している。そしてそれらが「システムバス」（１３００）などのデータ通信経路によって相互に接続され、情報の送受信や処理を行う。「チューナ」（１３０５）はアンテナを有し、受信された信号は「デジタル復調部」（１３０６）に送られ復調され、「ＴＳ分離部」（１３０７）にて、映像データと音声データの分離が行われる。分離されたデータは、「映像復号部」（１３０８）と「音声復号部」（１３０９）でデコードされ、スピーカなどの音声出力部（１３１１）や、ディスプレイなどの映像表示部（１３１０）により、音声または映像として出力される。
【００６３】
ここで、「ＲＡＭ」（１３０２）には、１．複数の移動経路ＩＤと、２．選択された移動経路ＩＤと、３．進行順ゾーンＩＤ情報と、４．受信品質閾値１、５．現在のゾーンＩＤと、６．次順位のゾーンＩＤと、７．同一系列チャンネルＩＤ情報と、８．次順位のゾーンＩＤにかかる同一系列チャンネルＩＤと、９．取得したチャンネルＩＤの品質情報と、１０．受信品質閾値３とを格納する領域が確保されている。なお、上記の各ＩＤは、ＩＤを特定すると、関連付けられた情報が参照可能となっている。まず、複数の移動経路情報は、「ＲＡＭ」（１３０２）上の、１．複数の移動経路ＩＤより「操作Ｉ／Ｆ」（１３０４）を用いて選択され、移動経路ＩＤが一に特定される。５．現在のゾーンＩＤにかかる領域には、出発点のゾーンＩＤの値が格納される。これにより、出発点のゾーン情報が参照可能となり、当該ゾーン情報に含まれる出発点のゾーンにおけるチャンネル設定情報が取得される。取得されたチャンネル設定情報は「チューナ」（１３０５）に対して送られ、設定がされる。一方、移動経路ＩＤが特定されると、当該移動経路情報に含まれる通過点の情報と、これに対応するゾーン情報を関連付けする処理を「ＣＰＵ」（１３０１）にて行う。当該処理により、ゾーン情報が移動経路順に並べられた情報が取得可能であり、これらのゾーン情報を特定するＩＤを「ＲＡＭ」（１３０２）上に３．進行順ゾーンＩＤ情報として格納する。「ＣＰＵ」（１３０１）において、進行順ゾーンＩＤを走査して、現在のゾーンＩＤに一致するゾーンＩＤの次の順位にあるゾーンＩＤを６．次順位のゾーンＩＤとして格納する。「チューナ」（１３１３）により、出発点のゾーンにおけるチャンネル設定で、放送の受信が開始されると、「チューナ」（１３０５）により、受信レベルなどの受信品質情報が取得され、これと、「ＲＡＭ」（１３０２）上の所定の領域に保持されている４．受信品質閾値１とで比較を行う。比較の結果、受信品質情報が４．受信品質閾値１の値以上の場合には、「チューナ」（１３０５）はそのまま受信を続ける。これに対して、受信品質情報が４．受信品質閾値１の値を下回った場合には、「ＣＰＵ」（１３０１）は「ＲＡＭ」（１３０２）に保持されている６．次順位のゾーンＩＤと、７．同一系列チャンネルＩＤ情報を呼び出し、次順位ゾーンＩＤに基づいて、同一系列チャンネルＩＤ情報内における次順位ゾーンに含まれる同一系列チャンネルＩＤを取得し、これを８．次順位ゾーンＩＤにかかる同一系列チャンネルＩＤとして、「ＲＡＭ」（１３０２）に保持する。保持された８．次順位ゾーンＩＤにかかる同一系列チャンネルＩＤは、当該チャンネルＩＤと関連づけられた周波数と共に、順次「チューナ」（１３０５）に出力される。これに対して、「チューナ」（１３０５）は、前記チャンネルＩＤにかかる品質情報を取得し、当該品質情報の値を「ＲＡＭ」（１３０２）に格納する。格納された値は、ＣＰＵ（１３０１）において、それぞれが９．受信品質閾値３と比較が行われる。比較の結果、少なくとも一以上のチャンネルＩＤの品質情報が前記閾値以上の値であれば、その中から最良の受信状態のチャンネルＩＤを、値を相互に比較することにより取得する。当該ＩＤは「チューナ」（１３０５）に送られ、選局がされ放送が受信される。一方、品質情報が前記閾値に満たない場合には、引き続き現在のチャンネルＩＤにより受信を続ける。
<効果の簡単な説明>
以上のように、本実施例のデジタル放送受信装置によってゾーン切替えの際に、同一系列のチャンネルＩＤ情報を取得し、当該チャンネルＩＤの受信品質情報に基づいて選局を行うことが可能である。これにより、移動したとしても、同一系列のチャンネルを視聴し続けることが可能である。また、次ゾーンに複数の同一系列チャンネルが存在する場合においても、そのうちの受信状態が最良のチャンネルに選局をすることが可能である。
【００６４】
≪実施例４≫
<概要>
図14は本発明のデジタル放送受信装置を使用の一例を説明するための、ＰＣによる経路、時刻検索結果の一例である。ここでは静岡→新大阪の検索結果を示す。この検索結果をメモ代わりに携帯電話などにメールにて転送することは実際に良く行なわれている。本実施例のデジタル放送受信装置はこのメールを受信し、このメールの内容より出発地を静岡、移動経路を東海道新幹線と読み取る。それ以降は実施例１で説明したように、順次チャンネル設定を切替えることが可能となる。
【００６５】
<機能的構成>
図１５は、本実施例のデジタル放送受信装置における機能ブロックの一例を表す図である。この図にあるように、本実施例の「デジタル放送受信装置」（１５００）は、「移動経路ＩＤ保持部」（１５０１）と、「移動経路ＩＤ取得部」（１５０２）と、「進行順ゾーンＩＤ情報保持部」（１５０３）と、「受信部」（１５０４）と、「受信品質判断部」（１５０５）と、「制御部」（１５０６）とを有する。なお記載していないが、「制御部」（１５０６）は「ゾーン境界制御手段」を有していてもよい。あるいは、「同一系列チャンネルＩＤ情報保持部」を有し、「制御部」（１５０６）が「同系列最良選択手段」と、「次順位ゾーン内品質判断制御手段」を有する構成をとってもよい。なお、これら構成要件については上記実施例にて既に記載済みであるのでその説明は省略する。そして、本実施例のデジタル放送受信装置の特徴点は、「移動経路案内情報取得部」（１５１１）と、「移動経路ＩＤ抽出部」（１５１２）を新たに有する点である。
【００６６】
「移動経路案内情報取得部」（１５１１）は、出発地から目的地までの経路と移動手段とを示す移動経路案内情報を取得する機能を有する。「移動案内経路情報」とは、図１４で示されるような、PCなどで通常使用されている経路案内ソフトやインターネット上のＷｅｂサイトで行われている経路案内サービスで検索結果として出力されたデータのことを指す。「取得」とは、ＰＣなどの他の装置により出力された前記データを通信経路などの手段を用いて転送し、記憶装置に格納することを指す。通信経路としては、携帯電話回線や、無線LANによる通信や、Bluetooth（登録商標）や、赤外線通信などの通信手段が考えられる。また、データを転送する手段としては、電子メールによる受信の他、ファイル転送や、バーコード認識などで転送する手段が考えられる。取得された移動経路情報は、移動経路ＩＤ抽出部（１５１２）に対して出力される。
【００６７】
「移動経路ＩＤ抽出部」（１５１２）は、移動経路案内情報から移動経路ＩＤを抽出する機能を有する。具体的には、移動経路案内情報取得部（１５１１）より受け取った移動経路案内情報のデータを解析して、移動経路を抽出し移動経路ＩＤを特定する。抽出および特定の方法であるが、あらかじめ取得する移動経路案内情報のデータフォーマットが決定していて、その中の出発地や移動経路などを取得するものでもよいし、不定形のデータフォーマットを自然言語解析などの手法により解析し、出発地や移動経路などを取得するものでもよい。前者は、特定のサービスや、ソフトウェアの出力のみにしか対応しないが、後者は必要な情報がテキストとして含まれるデータを入力すれば、どのようなデータフォーマットであってもよい。図１４を用いて説明すると、「静岡15:14発」の文字列から出発地を「静岡」と認識し、「新大阪16:59着」と「東海道新幹線」の文字列より、東海道新幹線の下りに対応する図２（Ａ）に示すＩＤが１の移動経路ＩＤであると「移動経路ＩＤ保持部」（１５０１）に保持されている移動経路ＩＤと関連づけられているデータと一致させることにより判断し、移動経路ＩＤを特定することが可能である。特定された移動経路ＩＤは進行順ゾーンＩＤ保持部（１５０３）に対して出力される。
【００６８】
なお、本実施例のデジタル放送受信装置は、携帯電話に搭載されていてもよい。また本実施例のデジタル放送受信装置の一部は携帯電話に搭載されたアプリケーションソフトにより構成されていてもよい移動経路案内情報は、携帯電話の通信機能を用い自身で取得してもよい。また、携帯電話の通信機能を用いてＰＣなどを初めとする他の装置からメールなどを受信して、移動経路案内情報を取得してもよい。
【００６９】
<処理の流れ>
図１６は、本実施例のデジタル放送受信装置における処理の流れの一例を表すフローチャートである。なお、以下に示すステップは、媒体に記録され計算機を制御するためのプログラムを構成する処理ステップであっても構わない。この図にあるように、まず移動経路案内情報を取得する（ステップＳ１６０１）。次に移動経路案内情報に基づいて、移動経路ＩＤの抽出を行う（ステップＳ１６０２）。次に初期ゾーンＩＤの取得を行う（ステップＳ１６０３）。ステップＳ１６０４〜ステップＳ１６０８は実施例１の図４におけるステップＳ０４０３以降の処理と同様であるので記載を省略する。なお、ステップＳ１６０４〜ステップＳ１６０８の処理に替えて、図８におけるステップＳ０８０３以降の処理を行ってもよいし、図１２におけるステップＳ１２０３以降の処理を行ってもよい。
【００７０】
<ハードウェア構成>
図１７は、上記機能的な各構成要素を携帯電話のハードウェアで実現した際の、デジタル放送受信装置を搭載した携帯電話における構成の一例を示す概略図である。この図を使用して処理におけるそれぞれのハードウェア構成部の動きについて説明する。
この図にあるように、デジタル放送受信装置は、各種演算処理を行う「ＣＰＵ（中央演算装置）」（１７０１）と、「ＲＡＭ」（１７０２）と、「ＲＯＭ」（１７０３）と、「操作入力Ｉ／Ｆ」（１７０４）と、「チューナ」（１７０５）と、「デジタル復調部」（１７０６）と、「ＴＳ分離部」（１７０７）と、「映像復号部」（１７０８）と、「音声復号部」（１７０９）と、「映像表示部」（１７１０）と、「音声出力部」（１７１１）と「携帯アンテナ」(１７２１)と「携帯電話回線チューナ」(１７２２)と「携帯電話回線通信変復調部」(１７２３)と「携帯電話回線信号処理部」(１７２４)と「マイク」(１７２５)「レシーバ」(１７２６)を有している。そしてそれらが「システムバス」（１７００）などのデータ通信経路によって相互に接続され、情報の送受信や処理を行う。「チューナ」（１７０５）はアンテナを有し、受信された信号は「デジタル復調部」（１７０６）に送られ復調され、「ＴＳ分離部」（１７０７）にて、映像データと音声データの分離が行われる。分離されたデータは、「映像復号部」（１７０８）と「音声復号部」（１７０９）でデコードされ、スピーカなどの音声出力部（１７１１）や、ディスプレイなどの映像表示部（１７１０）により、音声または映像として出力される。また、「携帯チューナ(１７２２)」は「携帯アンテナ」(１７２１)を有し、送受信する信号は「携帯変復調部」(１７２３)で変復調され、「携帯信号処理部」(１７２４)で信号処理され、音声通話では「マイク」(１７２５)「レシーバ」(１７２６)が使用される。メールやＷｅｂアクセスの場合はデータの形で「携帯信号処理部」から出力されて「ＲＡＭ」（１７０２）に格納される。
【００７１】
ここで、「ＲＡＭ」（１７０２）には、１．受信メールデータと、２．移動経路ＩＤと、３．現在のゾーンＩＤ等を格納する領域が確保されている。これらの各ＩＤは、ＩＤを特定すると、関連付けられた情報が参照可能となっている。まず、通信用アンテナ（１７２１）や、携帯電話回線チューナ（１７２２）や、携帯電話回線通信変復調部（１７２３）、及び携帯電話回線信号処理部（１７２４）を使用して、移動経路案内情報が含まれたメールが受信され、受信されたメールはＲＡＭ（１７０２）の所定アドレスに格納される。次に、受信メールのうちから移動経路案内情報が含まれたメールが「操作Ｉ／Ｆ」（１７０４）を用いて選択され、その受信メールデータ内の情報よりＣＰＵ（１７０１）は出発地及び移動経路を抽出する。例えば、「ＣＰＵ」（１７０１）により「ＲＡＭ」（１７０２）上に格納されている移動経路案内情報中のテキストを参照し、「静岡発」「新大阪着」「東海道新幹線」などの文字列を検出して、「東海道新幹線下り」に対応した移動経路ＩＤを特定する。またこのとき、出発地の情報を「ＲＡＭ」（１７０２）上の移動経路案内情報中のテキストより取得し、現在のゾーンＩＤを特定してもよい。また、特定された移動経路ＩＤ中に含まれるそれぞれのゾーン内の特定のチャンネルをチューナ（１７０５）にて順次受信し、もっとも受信状況がよいチャンネルが存在するゾーンを現在のゾーンＩＤとしてもよい。これにより、出発点のゾーン情報が参照可能となり、当該ゾーン情報に含まれる出発点のゾーンにおけるチャンネル設定情報が取得される。取得されたチャンネル設定情報は「チューナ」（１７０５）に対して送られ、設定がされる。以降のハードウェアの動作については、実施例１などで説明を行っているため記載は省略する。
<効果の簡単な説明>
以上のように、本実施例のデジタル放送受信装置では、ＰＣ等を使用した経路・時刻検索の結果を、本装置に転送すれば、そのまま移動経路ＩＤとして使用可能となり、利便性を高めることができる。
【図面の簡単な説明】
【００７２】
【図１】移動体用デジタル放送受信装置が移動する際の概念図
【図２】実施例１の移動体デジタル放送受信装置が用いる移動経路情報等の一例を説明するための図
【図３】実施例１の移動体用デジタル放送受信装置における機能ブロックの一例を表す図
【図４】実施例１の移動体用デジタル放送受信装置における処理の流れの一例を表すフローチャート
【図５】実施例１の移動体用デジタル放送受信装置におけるハードウェア構成の一例を表す概略図
【図６】実施例２の移動体用デジタル放送受信装置によるゾーン境界における処理の一例を説明するための図
【図７】実施例２の移動体用デジタル放送受信装置における機能ブロックの一例を表す図
【図８】実施例２の移動体用デジタル放送受信装置における処理の流れの一例を表すフローチャート
【図９】実施例２の移動体用デジタル放送受信装置におけるハードウェア構成の一例を表す概略図
【図１０】実施例３の移動体用デジタル放送受信装置による処理において、同一系列チャンネルＩＤを隣接するゾーン間で関連づけて保持した状態の一例を示した概念図
【図１１】実施例３の移動体用デジタル放送受信装置における機能ブロックの一例を表す図
【図１２】実施例３の移動体用デジタル放送受信装置における処理の流れの一例を表すフローチャート
【図１３】実施例３のデジタル放送受信装置におけるハードウェア構成の一例を表す概略図
【図１４】実施例４の移動体用デジタル放送受信装置の一例を説明するための、ＰＣによる経路、時刻検索結果の一例を示した図
【図１５】実施例４の移動体用デジタル放送受信装置における機能ブロックの一例を表す図
【図１６】実施例４の移動体用デジタル放送受信装置における処理の流れの一例を表すフローチャート
【図１７】実施例４の移動体用デジタル放送受信装置を携帯電話に搭載した例におけるハードウェア構成の一例を表す概略図
【符号の説明】
【００７３】
０３００  デジタル放送受信装置
０３０１  移動体経路ＩＤ保持部
０３０２  移動経路ＩＤ取得部
０３０３  進行順ゾーンＩＤ情報保持部
０３０４  受信部
０３０５  受信品質判断部
０３０６  制御部
【図１】
2008306688.tif 000003
【図２】
2008306688.tif 000004
【図３】
2008306688.tif 000005
【図４】
2008306688.tif 000006
【図５】
2008306688.tif 000007
【図６】
2008306688.tif 000008
【図７】
2008306688.tif 000009
【図８】
2008306688.tif 000010
【図９】
2008306688.tif 000011
【図１０】
2008306688.tif 000012
【図１１】
2008306688.tif 000013
【図１２】
2008306688.tif 000014
【図１３】
2008306688.tif 000015
【図１４】
2008306688.tif 000016
【図１５】
2008306688.tif 000017
【図１６】
2008306688.tif 000018
【図１７】
2008306688.tif 000019